(57)【特許請求の範囲】
【請求項１】
一端が開口した細長い案内長孔を有し、この案内長孔の開口端部を基端としたアームと、このアームの一対の基端部の夫々と摺接可能に配設された一対の支持片を形成した台座とを有し、支持片及びアームの基端部を貫通する一対のアームピンによりアームを台座に回動可能に軸支したものにおいて、アームピンの一端にこれより大径のフランジを形成すると共に、他端面外周縁に横断面三角形の環堤部を形成し、各アームピンを他端を内側にして支持片及びアームの基端部を貫通させた後、アームピンの他端の環堤部を、一対のアームピン間に配設された治具のアームピンの中心軸に垂直な平面で押圧することによるかしめにより外側に拡開させ、これにより抜け止めを形成したことを特徴とするドアガード。
【請求項２】
一端に大径のフランジを形成し、他端面外周縁に横断面三角形の環堤部を形成した一対のアームピンを、他端を内側にして台座の支持片及びアームの基端部を貫通させ、各アームピンのフランジの外側をバックアップブロックにより衝止すると共に、これら一対のアームピン間に配設され、アームピンの軸線方向に移動可能に案内された一対の押しプロックの、相互に対向する側に形成された正面形が略Ｖ字形をなす一対の傾斜面に、Ｖ字の開口からＶ字底部側に進行するポンチを当接係合させ、押しプロック及びポンチの係合によって生じる楔作用によりアームピンの中心軸に垂直な平面を有する押しブロックを相互に離間する方向に拡開させ、各押しブロック及びバックアップブロックによってアームピンを軸線方向に押圧することによりアームピンの環堤部を外側に拡開するようにかしめることを特徴とするドアガードの製造方法。
【発明の詳細な説明】
【０００１】
【発明の属する技術分野】
この発明はドアガード及びその製造方法に係り、特に、強度と安全性を高めたドアガード及びその製造方法に関する。
【０００２】
【従来の技術】
ドアガードは、周知のように、また、図１に示すように、扉の内面自由側端縁部及び扉枠の一方に装着される台座１と、この台座１に回動自在に支承され、細長い案内長孔３を有するアーム２とを有し、作動時、扉の内面自由側端縁部及び扉枠の他方に装着され、膨出頭部５を形成した受杆４に係合させて扉の開角度を制限するものである。
【０００３】
上記アーム２及び台座１を相互に結合するアームピン６は、外端にフランジ７を、内端部に図示しない止め輪溝を夫々形成し、図２に示すように、台座の支持片８及びアーム２の基端部を貫通した後内端の止め輪溝にＥリング９等の止め輪を嵌着して固定する。
【０００４】
発明者らが認識している他のドアガードは、施工を容易にするため、上記Ｅリングに代えて例えばＵ字形のばねを止め輪溝に嵌め込むことによりアームピン６の抜け止めとしている。
【０００５】
【発明が解決しようとする課題】
しかして、ドアガードは、その作動原理上、作動時扉と扉枠との間の隙間を介して台座が外部空間に露出する。
【０００６】
その為、止め輪を針金等で外せばドアガードの分解が可能であり、安全性に問題が生じる、という不都合がある。
【０００７】
また、止め輪を嵌着するためにアームピンに小径の止め輪溝を形成しなければならないので、アームピンの強度に対する悪影響を否定することはできない。
【０００８】
そこで、この発明は、アームと台座の分解が困難で、しかもアームピンの強度を高めることができるドアガードを提供することを目的としている。
【０００９】
【課題を解決するための手段】
上記の目的を達成するため、この発明によるドアガードは、アームピンの一端にこれより大径のフランジを形成すると共に、他端面外周縁に横断面三角形の環堤部を形成し、各アームピンを他端を内側にして支持片及びアームの基端部を貫通させた後、アームピンの他端の環堤部を、一対のアームピン間に配設された治具のアームピンの中心軸に垂直な平面で押圧することによるかしめにより外側に拡開させ、これにより抜け止めを形成したことを特徴とする。
【００１０】
また、請求項２に記載されたドアガードの製造方法は、一端に大径のフランジを形成し、他端面外周縁に横断面三角形の環堤部を形成した一対のアームピンを、他端を内側にして台座の支持片及びアームの基端部を貫通させ、各アームピンのフランジの外側をバックアップブロックにより衝止すると共に、これら一対のアームピン間に配設され、アームピンの軸線方向に移動可能に案内された一対の押しブロックの相互に対向する側に形成された正面形が略Ｖ字形をなす一対の傾斜面に、Ｖ字の開口からＶ字底部側に進行するポンチを当接係合させ、押しブロック及びポンチの係合によって生じる楔作用によりアームピンの中心軸に垂直な平面を有する押しブロックを相互に離間する方向に拡開させ、各押しブロック及びバックアップブロックによってアームピンを軸線方向に押圧することによりアームピンの環堤部を外側に拡開するようにかしめることを特徴とする。
【００１１】
【発明の実施の形態】
以下、図３乃至図７に示す実施例に基づいてこの発明について説明する。
図３において符号６０はこの発明によるドアガードのアームピンを示し、このアームピン６０の一端（外端）にはこれより大径のフランジが形成されいているのは従来のドアガードのアームピンと同様である。
【００１２】
なお、図３乃至図７において図１及び図２と等符号を付した部分はこれらと均等な部分を示すので、更に詳細な説明を省略する。
【００１３】
また、アームピン６０の材質としては、例えばステンレススチールや真鍮等、硬い金属が望ましいことも従来のアームピンと同様である。
【００１４】
上記アームピン６０の他端面外周縁には、図４に示すように、例えば横断面三角形の環堤部１１が形成されている。図示の実施例では、アームピン６０の挿入を容易にするため、環堤部１１の頂部に糸面を取っている。
【００１５】
また、アームピン６０の軸線方向の寸法は、図３の矢印Ａに沿って台座の支持片８及びアーム２の基端部を共通に貫通するピン孔１２に挿通されたとき、その内端の環堤部１１がアーム２の基端部の内側に少し突出するように設定されている。
【００１６】
図３に戻って、アームピン６０を矢印Ａに沿ってピン孔１２に挿し通し、アームピン６０により台座の支持片８及びアーム２の基端部を貫通させて、アームピン６０の環堤部１１を形成した内端をアーム２の内側に少し突出させる。
【００１７】
その後、このアームピン６０の内端面に形成された環堤部１１をかしめて、図５に示すように、アームピン６０の半径方向に拡開させ、この拡開部をアームピン６０の抜け止めとする。
【００１８】
上記環堤部１１のかしめは、環堤部１１が台座の支持片８の外側になるようにピン孔１２に挿通させるときには、環堤部１１を例えば小さなハンマーでたたくだけで容易に行われるが、その代わりに、ドアガード作動時これを分解しようとする悪意の第三者の攻撃も容易にする。
【００１９】
そこで、この発明においては、上記悪意の第三者の攻撃を困難にするため、前記したように、環堤部１１を形成したアームピン６０の他端部を内側にしてピン孔１２に挿し通すことにした。
【００２０】
その為小さなハンマーによる手作業によるかしめは困難になるが、本発明者等は、図６に示すようなかしめ治具を用いてかしめ作業を可能にすると共に、かしめ工程の効率化を図っている。
【００２１】
すなわち、図６において符号１３はダイセットの基盤を、符号１４は基盤１３に植設された案内ロッドを夫々示し、この案内ロッド１４に、下面にポンチ１５を装着したホルダー１６を上下方向に移動可能に案内する。
【００２２】
一方、ポンチ１５の下方に、断面が上向きコ字形のかしめ台１７を配設し、このかしめ台１７を水平に貫通するように設けられたガイド棒１８により、一対の略直方体状の押しブロック１９、１９を図６の左右方向に移動可能に案内する。
【００２３】
なお、上記の押しブロック１９は、これを水平に貫通する案内棒１８の他に、押しブロック１９の下面とかしめ台１７の底面との平面同志の摺接によっても案内されている。
【００２４】
上記一対の押しブロック１９、１９の上端部の相互に対向する部分には傾斜面１９ａ、１９ａが形成されており、一方、各押しブロック１９の外面の上下方向における中央部には段部（図面を明瞭にするため付番せず）が形成されている。
【００２５】
上記した構成のかしめ台１７上に、図３に示すドアガードのアーム２を手前に９０度立て、支持片８の外側からアームピン６０、６０を挿通させた状態のドアガードを載置する。
【００２６】
このとき、押しブロック１９の段部にアーム２を乗せるようにすると、アーム２が揺動せず安定するので作業の効率化を図ることができる。
【００２７】
なお、図６で符号２１はバックアップブロックを示し、このバックアップブロック２１は、かしめ台１７上に載置されたドアガードのアームピン６０のフランジ７に外側から当接し、アームピン６０の内端面を打撃するときアームピン６０が軸線方向に移動しないように衝止するものである。
【００２８】
上記バックアップブロック２１は基盤１３上に固定された雄ねじ２２と螺合しており、これを回すことによってその軸線方向の位置を調節することができる。なお、図６では図面を明瞭にするため、左方のバックアップブロックはその図示を省略している。
【００２９】
図６に示したかしめ治具は上記のように構成されているから、かしめ台１７上にドアガードを載置し、バックアップブロック２１、２１により外側からアームピン６０、６０を挟んだ状態でポンチ１５を下降させると、ポンチ１５の下端は相互に対向して正面形が略Ｖ字形をなす一対の押しブロックの傾斜面１９ａ、１９ａに当接係合する。
【００３０】
上記ポンチ１５の下降は衝撃的でも良いし、或いは準静的でも良いが、何れにしろポンチ１５により押しブロックの傾斜面１９ａに加えられた力の水平方向の分力が押しブロック１９、１９を相互に離間する方向に押動し、したがって、押しブロック１９によりアームピンの環堤部１１はかしめられて外方に拡開する方向に潰れる（図５参照）。
【００３１】
図示の実施例ではアームピン２本分のかしめを１操作で行わせるようにしたが、これは１本ずつかしめても良いことは勿論である。
【００３２】
また、かしめもポンチによらず、例えば図７に示すように、アーム２の基端部の内側に、幅が図７におけるアーム２の基端部の左右方向の間隔よりやや小さい支持ブロック２３を挟み、外側からピン孔に挿通されたアームピン６０のフランジ７、７を万力により、或いは油圧装置により矢印Ｂ方向に押圧し、或いはハンマーにより打撃しても環堤部のかしめは可能である。
【００３３】
【発明の効果】
以上の説明から明らかなように、この発明は、アームピンの内端面に形成された環堤部をかしめにより拡開して抜け止めを行うようにし、しかもこれらをアームの基端部の内側に臨ませるようにしたので、従来の止め輪による抜け止めと比較してその安全性が飛躍的に向上する。
【００３４】
また、抜け止めの実施に際しアームピンの減径を伴わないので、その強度を充分に保持することができる。
【００３５】
更にまた、ドアガードの製造方法は、２本のアームピンを拡開する一対の押しブロックと、各アームピンのフランジを衝止するバックアップブロックにより押し潰すようにして１操作でかしめるので、製造の効率化を図ることができる、等種々の効果を奏する。
【図面の簡単な説明】
【図１】従来のドアガードの構成の一例を示す正面図。
【図２】図１のＩＩ−ＩＩ線による拡大一部断面図。
【図３】本発明の一実施例によるドアガードの構成を部品の一部を展開して示す図１と同様の正面図。
【図４】アームピンの内端の拡大一部断面図。
【図５】かしめ後のアームピンの内端の拡大一部断面図。
【図６】かしめ治具の線図的正面図。
【図７】他のかしめ方法を説明するためのドアガードの正面図。
【符号の説明】
１  台座
２  アーム
３  案内長孔
７  フランジ
８  支持片
１１  環堤部
１２  ピン孔
６０  アームピン
【図１】
0003966572.tif 000002
【図２】
0003966572.tif 000003
【図３】
0003966572.tif 000004
【図４】
0003966572.tif 000005
【図５】
0003966572.tif 000006
【図６】
0003966572.tif 000007
【図７】
0003966572.tif 000008